(57)【要約】【課題】  放電容器の端部の破損が生じにくくて、生産性に富み、輸送中の破損を防止できるエキシマランプを提供することにある。【解決手段】  本発明のエキシマランプは、誘電体材料からなる外側管と内側管とを具備してなり、端部に側壁部が形成された二重管構造の放電容器と、外側管と内側管との間に形成された放電空間内に充填された放電によってエキシマ分子を形成する放電用ガスと、放電空間及び少なくとも一つの誘電体を介し、前記放電容器に沿って配置されてなる一方と他方の電極と、を備えてなるものであり、前記放電容器は、端部に電極が設けられない狭小部が形成され、側壁部に隣接する外側管と内側管との間隔が電極を配置した任意点における外側管と内側管との間隔よりも狭くなっていることを特徴とする。【選択図】    図１
2005149999.tif 000002
【特許請求の範囲】
【請求項１】
誘電体材料からなる外側管と内側管とを具備してなり、端部に側壁部が形成された二重管構造の放電容器と、
外側管と内側管との間に形成された放電空間内に充填された放電によってエキシマ分子を形成する放電用ガスと、
放電空間及び少なくとも一つの誘電体を介し、前記放電容器に沿って配置されてなる一方と他方の電極と、を備えてなるエキシマランプにおいて、
前記放電容器は、端部に電極が設けられない狭小部が形成され、側壁部に隣接する外側管と内側管との間隔が電極を配置した任意点における外側管と内側管との間隔よりも狭くなっていることを特徴とするエキシマランプ。
【請求項２】
前記放電容器は、狭小部における外側管と内側管の間隔が外端側に向って連続的若しくは段階的に狭くなるよう形成されていることを特徴とする請求項１記載のエキシマランプ。
【請求項３】
前記狭小部が、放電容器の両方の端部に設けられていることを特徴とする請求項１または２に記載のエキシマランプ。
【発明の詳細な説明】
【技術分野】
【０００１】
本発明は、電極間に誘電体を介在させた放電を利用してエキシマ光を放出させるエキシマランプに関する。
【背景技術】
【０００２】
例えば液晶製造工程における液晶基板の洗浄工程などに用いられる、波長２００ｎｍ以下の真空紫外光を被処理体に放射する光源用ランプとしては、電極間に誘電体を介在させた放電、即ち、誘電体バリア放電（別名「オゾナイザ放電」あるいは「無声放電」：電気学会発行改定新版「放電ハンドブック」平成１年６月再版７刷発行第２６３頁参照）によってエキシマ分子を形成し、当該エキシマ分子から放射される光（以下、「エキシマ光」ともいう。）を利用するエキシマランプが用いられている（特許文献１）。
【０００３】
図６は従来のエキシマランプの一例を示す管軸方向断面図である。同図において、エキシマランプ１０の放電容器１１は、石英ガラスよりなる略同一の管径を有する直管状の外側管１２と、この外側管１２内にその筒軸に沿って配置された石英ガラスよりなる内側管１３と、からなり、外側管１２と内側管１３との間に円筒状の放電空間Ｓを形成する二重管構造を具備している。このような放電容器１１は、例えば、内側管１３の両端部に管軸に略垂直方向に延在するよう側壁部１４ａ，１４ｂを設け、該側壁部１４ａ，１４ｂの外周縁部ｇ，ｇを外側管１２の両端部にそれぞれ融着することにより、製作される。
放電容器１１における外側管１２には、その外周面１５に密接して、例えば金網などの導電性材料よりなる網状の一方の電極１６が設けられ、放電容器１１における内側管１３には、その外周面１７を覆うようアルミニウムよりなる膜状の他方の電極１８が設けられている。そして、一方の電極１６および他方の電極１８は、それぞれ電流供給用のコード１９，１９により高周波電源よりなる電源装置（図示省略）に接続されている。
電源装置（図示省略）によってランプ１０における一方の電極１６と他方の電極１８とに高周波電圧が印加されると、当該ランプ１０に係る放電空間Ｓ内において、外側管１２および内側管１３の間に放電が発生し、ランプ１０が点灯して、２００ｎｍ以下の真空紫外光が、外側管１２を透過して外部に放出される。
【特許文献１】特開２００２−１６８９９９号公報
【発明の開示】
【発明が解決しようとする課題】
【０００４】
近年、上記エキシマランプにおいては、よりいっそうの高出力化が望まれており、外側管の径を大きくして放電ギャップを広げ、放電の厚みを増大させることにより出力アップを図ることが行われている。更には、被処理物とされる液晶基板パネルが大面積化してきており、これに伴いランプの発光領域を管軸方向に大きくするすなわち放電容器を長くすることが望まれている。
しかるに、放電ギャップを広げるため放電容器の外側管と内側管との間隔を広くしたり、発光領域を管軸方向に大きくするため放電容器を長くしたりすると、放電容器の端部が僅かな衝撃や振動で割れ、ランプ製造中などに破損するため高い生産効率を得ることができない。また、更には、完成したランプを輸送する際にも放電容器の端部が割れることがある。
【０００５】
本発明は以上のような事情に基いてなされたものであって、その目的は、放電容器の端部の破損が生じにくくて、生産性に富み、輸送中の破損を防止できるエキシマランプを提供することにある。
【課題を解決するための手段】
【０００６】
本発明のエキシマランプは、誘電体材料からなる外側管と内側管とを具備してなり、端部に側壁部が形成された二重管構造の放電容器と、外側管と内側管との間に形成された放電空間内に充填された放電によってエキシマ分子を形成する放電用ガスと、放電空間及び少なくとも一つの誘電体を介し、前記放電容器に沿って配置されてなる一方と他方の電極と、を備えてなるものであり、前記放電容器は、端部に電極が設けられない狭小部が形成され、側壁部に隣接する外側管と内側管との間隔が電極を配置した任意点における外側管と内側管との間隔よりも狭くなっていることを特徴とする。
【０００７】
さらに、請求項１の発明において、前記放電容器が、狭小部における外側管と内側管の間隔が外端側に向って連続的若しくは段階的に狭くなるよう形成されていることを特徴とする。
【０００８】
さらに、請求項１または請求項２の発明において、前記狭小部が、放電容器の両方の端部に設けられていることを特徴とする。
【発明の効果】
【０００９】
本発明によれば、放電ギャップを大きくするためにランプ発光領域の外側管と内側管との間隔を広げたり、放電容器全長を長くしたりしても、放電容器の端部に、側壁部に隣接する外側管と内側管との間隔が電極を配置した任意点における外側管と内側管の間隔よりも狭くなるような狭小部を設けているので、側壁部に掛かる応力が小さくなり、放電容器端部が割れやすくなるという事態を回避することができるようになる。
しかも、放電容器において外側管と内側管の間隔を狭くした部分には電極を設けていないので、放電容器の管軸方向で電力が集中する部分が形成されることがない。もし外側管と内側管の間隔を狭くした部分に電極を設けた場合、この部分は、石英ガラスが劣化し光透過率が低下することが考えられる。その結果、局所的な照度維持率の低下が生じ、ランプの使用寿命が短くなる。しかしながら、本発明の構造によると、このような局所的な照度維持率の低下を防止できるので、ランプの使用寿命が短くなるといった問題が生じることのないエキシマランプを提供できるようになる。
【発明を実施するための最良の形態】
【００１０】
図１は本発明の第一の実施形態を説明するエキシマランプの管軸方向断面図である。
エキシマランプ１０の放電容器１１は誘電体である石英ガラスからなり、外側管１２と、この外側管１２内にその筒軸に沿って配置され、外側管１２の内径より小さい外径を有す内側管１３と、を具備した二重管構造であり、外側管１２と内側管１３との間に略円筒状の放電空間Ｓを形成している。この放電容器１１は、例えば、内側管１３の両端部の管壁が半径方向外方に屈曲されることにより、管軸に対して略垂直に伸びる側壁部１４ａ，１４ｂが設けられ、その外周縁部ｇ、ｇと外側管１２の両端部とが融着されることにより、製作されている。この外側管１２と内側管１３との間に形成された放電空間Ｓ内にはキセノンガスなど放電によってエキシマ分子を形成する放電用ガスが充填されている。
【００１１】
上記放電容器１１には、その両端部に放電空間Ｓ内における外側管１２と内側管１３の間隔が外端側に向かうに従って連続的に狭くなるよう形成された狭小部１１ａ，１１ｂが、管軸方向に所要の長さ設けられており、側壁部１４ａ，１４ｂに隣接する位置Ａにおける外側管１２と内側管１３の間隔Ｄ１が、ランプの発光領域Ｈすなわち、一対の電極１６，１８が設けられた任意の点、例えば放電容器１１の略中央部の位置Ｂにおける外側管１２と内側管１３の間隔Ｄ２よりも、狭くなるよう形成されている。なお、ここでいう外側管１２と内側管１３の間隔とは、外側管１２の内表面から内側管１３の内表面までの放電容器１１の管軸に対して垂直方向（すなわち、半径方向）の距離である。
このような狭小部１１ａ、１１ｂは、例えば、外側管１２と内側管１３とを接合する前段階において、外側管１２の構成材料である石英ガラス管の両端部の管壁を加熱加工し、管径を半径方向に縮小させることによって設けることができる。
【００１２】
外側管１２は、狭小部１１ａ，１１ｂを除いては略同一の管径および肉厚を有しており、係る同一管径の部分における外周面１５上には例えば金網などの導電性材料よりなる網状の一方の電極１６が密接して配設されている。
内側管１３は、上記側壁部１４ａ、１４ｂを除いて略同一の管径および肉厚を有しており、その外周面１７を覆うように例えばアルミニウムよりなる膜状の他方の電極１８が配設されている。
上記構成により、放電容器１１は発光領域Ｈにおいて外側管１２と内側管１３の間隔が略一定になるよう形成されている。
【００１３】
一方の電極１６および他方の電極１８は、それぞれ電流供給用のコード１９，１９により高周波電源よりなる電源装置（図示省略）に接続されており、これら電極１６，１８に高周波電圧が印加されると、当該ランプ１０に係る放電空間Ｓ内において、外側管１２および内側管１３の間に放電が発生してランプ１０が点灯し、２００ｎｍ以下の真空紫外光が放出される。
【００１４】
このような構成のエキシマランプ１０によれば、放電ギャップを大きくするため発光領域Ｈにおいて外側管１２と内側管１３との間隔Ｄ２を広げたり、放電容器１１の全長を長くしたりしても、放電容器１１の端部、具体的には側壁部に隣接する位置Ａ（以下、放電容器１１の端部Ａとも称す）における外側管１２と内側管１３との間隔Ｄ１が、電極１６、１８を配置した任意点における外側管１２と内側管１３との間隔Ｄ２よりも、狭くなるように形成されているので、放電容器１１の側壁部１４ａ、１４ｂにかかる応力を小さくでき、多少の衝撃や振動で割れるといった問題を生じにくくなる。その結果、生産性に富んだ、取り扱いが容易なエキシマランプを提供できるようになる。
ここで、以下の００１５〜００１９において、本発明の構造を有するエキシマランプによると上記効果が得られることについて具体的に説明する。
【００１５】
例えばランプ輸送時、外側管は梱包材によって固定されているためにほとんど変形しないが、内側管は両端が側壁部で外側管により間接的に支持されているのみであり、中央部がたわんでいる状態である。中央部のたわみは変位量が大きくなると、内側管に応力を生じ、同時に放電容器両端における側壁部に応力を生じる。
この側壁にかかる応力はその側壁断面プロファイルから近似的に「片持梁」の非固定端に加重Ｗがかかるモデルとして考えられる。その理由を以下の００１６、００１７において説明する。
【００１６】
図２は、機械工学便覧新版３３頁における「片持梁」モデルを説明するための図である。
図２において、Ｗを壁１００に固定された梁１０１の非固定端１０２に垂直にかかる加重、Ｌを梁１０１の全長、ｅを中立軸から梁１０１の表面１０３までの最大距離、Ｉを断面二次モーメントとすると、梁１０１にかかる最大応力σは次式（１）で表すことができる。
σ＝Ｗ・Ｌ・e／Ｉ・・・（１）
【００１７】
図３は、エキシマランプの側壁部に応力がかかる状態を示す図である。図３（ａ）は内側管がたわむ様子を示す図であり、図３（ｂ）は図３（ａ）の点線部分Ａを拡大した図である。
図３（ａ）に示すように、内側管１３は、その全長が大きくなると下方向にたわむことにより、側壁部１４ｂ１に対して矢印Ｘの加重をかけ、側壁部１４ｂ２に対して矢印Ｘと同じ大きさで逆方向の矢印Ｙの加重をかけることになる。尚、点線で示した内側管１３´は、たわんだ状態を誇張して表現している。
図３（ｂ）を用いて説明すると、外側管１２および側壁部１４ｂ１は、図２のモデルにおける壁１００および梁１０１に相当するものである。そして、側壁部１４ｂ１の先端部１４１には、前述のように内側管１３のたわみによる矢印Ｘの加重がかかっている。すなわち、エキシマランプの側壁部１４ｂ１にかかる応力は、図２に示す片持梁のモデルに近似していると考えることができる。したがって、エキシマランプの側壁部１４ｂ１にかかる最大応力σの値は、側壁部１４ｂ１の全長（放電容器１１の端部Ａにおける外側管１２と内側管１３の間隔Ｄ１）をＬ、内側管１３のたわみによる矢印Ｘの加重をＷ、側壁部１４ｂ１の中立軸からのたわみ量をｅとすると、上記式1によって近似的に求めることができる。
【００１８】
すなわち、放電容器１１の端部Ａにおける外側管１２と内側管１３の間隔Ｄ１を広くすると、側壁部１４ｂ１に加わる応力σは大きくなる。また、放電容器１１の全長を長くした場合は、内側管１３の全長が長くなるのに伴い側壁部１４ｂ１が受ける矢印Ｘの加重が大きくなるので、上記と同様側壁部１４ｂ１に加わる応力σが大きくなる。
以上のことから、放電ギャップを大きくするため外側管１２と内側管１３との間隔Ｌを広げたり放電容器１１の全長を長くしたりすると、側壁部１４ｂ１にかかる応力が増大して、放電容器１１の側壁部１４ｂ１は僅かな衝撃でも割れを生じるようになる。
尚、側壁部１４ｂ２には、矢印Ｘと同じ大きさの矢印Ｙの加重がかかっているので、方向は異なるが側壁部１４ｂ１にかかる応力と同じ大きさの応力がかかっていることになる。また、側壁部１４ａには、内側管１３の中央部が最もたわむことから、側壁部１４ｂと同様の応力がかかっているものと考えられる。
【００１９】
本発明によれば、発光領域における外側管と内側管との間隔が比較的広い放電容器であっても、端部に狭小部が形成されて外側管と内側管との間隔が、ランプの発光領域、すなわち電極が設けられた任意点における外側管と内側管の間隔よりも狭くなっているので、狭小部が形成されないものに比較して側壁部に掛かる応力（σ）を小さくすることができるようになる。無論、全長が長い放電容器においても同様の作用により側壁部に掛かる応力（σ）を小さくすることができるようになる。
従って、外側管と内側管との間隔を広げたり放電容器の全長を長くしたりしても、側壁部に掛かる応力を確実に小さくすることができるので、放電容器端部が割れやすくなるという事態を回避することができるようになる。
【００２０】
しかも、放電容器において外側管と内側管の間隔を狭くした部分には電極を設けていないので、放電容器の管軸方向で電力が集中する部分が形成されることがない。もし外側管と内側管の間隔を狭くした部分に電極を設けた場合、この部分は、石英ガラスが劣化し光透過率が低下することが考えられる。その結果、局所的な照度維持率の低下が生じ、ランプの使用寿命が短くなる。しかしながら、本発明の構造によると、このような局所的な照度維持率の低下を防止できるので、ランプの使用寿命が短くなるといった問題が生じることのないエキシマランプを提供できるようになる。
【００２１】
図４は、本発明の第二の実施形態を説明するエキシマランプの管軸方向断面図であり、放電容器に狭小部を形成する際に、内側管の壁面を外側管に近付けることで両者の間隔を狭くした例である。なお、先に図１で説明した構成については同じ符号を付し、その詳細な説明については省略する。
同図において、放電容器１１には、その両端部に外側管１２と内側管１３との間隔が外端側に向かうに従って連続的に狭くなるよう形成された狭小部１１ａ，１１ｂが設けられており、外側管１２と内側管１３との間隔は、側壁部１４ａ，１４ｂの近傍が当該放電容器１１の中央部よりも狭くなっている。このような狭小部１１ａ，１１ｂは、例えば、外側管１２と内側管１３とを接合する前段階において、内側管１３の構成材料である石英ガラス管の両端部の管壁を加熱加工し、所要長さ管径を半径方向に拡大させることによって、設けることができる。
【００２２】
外側管１２は略同一の管径および肉厚を有しており、係る同一管径の部分における外周面１５上に一方の電極１６が配設されている。
内側管１３は狭小部１１ａ，１１ｂおよび側壁部１４ａ，１４ｂを除いては略同一の管径および肉厚を有しており、係る同一管径の部分における外周面１７上に膜状の他方の電極１８が配設されている。
【００２３】
このような構成のエキシマランプによれば、側壁部に隣接する位置における外側管と内側管の間隔が、電極が設けられた任意点における外側管と内側管の間隔よりも狭くなっているので、上記第一の実施形態と同様、放電容器の側壁部に掛かる応力を小さくでき、多少の衝撃や振動で割れるといった問題を生じにくくなる。
更に、本実施形態によれば、内側管の管径を拡大させているので、内側管のたわみが小さいものが得られ、側壁部に掛かる応力をよりいっそう小さくすることができる。よって、破損に対して十分に高い耐性を有する放電容器が得られるようになる。この理由について以下の００２４において説明する。
【００２４】
側壁部に応力を生じさせる内管のたわみ（ｖ）は、次の（２−１）式で表すことができる。
ｖｍａｘ＝ｗ・ｌ４／３８４・Ｅ・Ｉ      ・・（２−１）
なおｖｍａｘ：最大たわみ量、ｗ：荷重、ｌ：長さ、Ｅ：ヤング率、Ｉ：断面二次モーメントである。
そして、ｄ２：外側管の管径、ｄ１：内側管の管径とすると、上記断面二次モーメント（Ｉ）は、下記の（２−２）式のようになる。
Ｉ＝π×（ｄ２４−ｄ１４）／６４    ・・（２−２）
【００２５】
ここで、図１に示すような放電容器の端部における外側管の管径を小さくした構造のものと、図４に示すような放電容器の端部における内側管の管径を大きくした構造のものとを、放電容器の端部Ａにおける外側管１２と内側管１３との間隔Ｄ１が等しいという条件のもとに、上記式（２−１）、（２−２）により内側管１３の最大たわみ量Ｖｍａｘの値について比較検討したところ、図４に示す構造のものの方が内側管１３最大たわみ量Ｖｍａｘの値が小さいことが判明した。
よって、放電容器の端部Ａにおける外側管１２と内側管１３との間隔Ｄ１が等しいという条件のもとに外側管と内側管との間隔を狭める場合には、外側管の管径を小さくするよりも内側管の管径を大きくしたほうが、たわみを小さくできつまり、側壁部に掛かる応力を小さくできるので、破損に対してより高い効果が得られる。
【００２６】
図５（ａ）、（ｂ）は、他の実施形態を説明するエキシマランプの端部を拡大して示す管軸方向断面図である。なお同図において、先に図１、図４で説明した構成と同じ構成については同じ符号で示し、その説明を省略する。
【００２７】
先ず、図５（ａ）は、本発明の第三の実施形態を説明する図である。同図において、外側管１２の端部近傍に、管壁が半径方向内方に屈曲した屈曲部１２ａが設けられ、外端部の管径が縮小されることにより、外側管１２と内側管１３との間隔が電極を配置した任意点における外側管と内側管との間隔より狭くなる狭小部１１ａが設けられている。この実施形態においては、狭小部１１ａは外側管１２と内側管１３の間隔が管軸方向で略一定とされており、管軸方向に所要長さ形成されている。なお、狭小部１１ａの外周面１５，１７には電極１６，１８が設けられておらず、当該個所においては放電が発生しない構造となっている。
【００２８】
本実施形態においても、側壁部に隣接する外側管と内側管の間隔が、電極を配置した任意点における外側管と内側管の間隔よりも狭くなるよう形成されているため、側管部に掛かる応力が小さくて、多少の衝撃や振動で放電容器が割れるような問題が生じにくくなる。
【００２９】
続いて、図５（ｂ）は、本発明の第四の実施形態を説明する図である。内側管１３の端部近傍に、管壁が半径方向外方に屈曲した屈曲部１３ａが設けられ、当該屈曲部１３ａと側壁部１４ａとの間において管径が拡大されることにより、外側管１２と内側管１３との間隔が電極１６，１８を配置した任意点における外側管１２と内側管１３の間隔に比較して狭くなる狭小部１１ａが設けられている。
【００３０】
この実施形態においても、側壁部に隣接する外側管と内側管との間隔が、電極を配置した任意点における外側管と内側管との間隔よりも狭くなるよう形成されているため、側管部に掛かる応力が小さく、多少の衝撃や振動で放電容器が割れるような問題が生じにくくなる。更に、本実施形態によれば、内側管の管径を拡大して外側管と内側管との間隔を狭くしているため、内側管のたわみを小さくする効果が大きく、よりいっそう側壁部に掛かる応力を小さくすることができる。よって破損に対して十分に高い耐性を有する放電容器が得られる。
【００３１】
以上の図５（ａ）、（ｂ）においてはエキシマランプの一方の端部しか示さなかったが他方の端部も同様の構造とされている。これらのように、屈曲部を設けて外側管と内側管の間隔を段階的に狭小化させることも可能であり、更には屈曲部を一箇所のみならず複数個設けても良い。
【００３２】
以上、本発明の実施形態に係るエキシマランプについて、図１を参照して数値例を挙げると、放電容器１１の全長は例えば７００〜１６００ｍｍであり、狭小部１１ａ、１１ｂの軸方向長さは例えば１０〜１００ｍｍである。なお、ランプの製造工程上、完成した放電容器１１の側壁部１４ａ、１４ｂには内周側および外周側の縁部において、数ミリ程度湾曲した部分が形成されるが、側壁部１４ａ、１４ｂにおける応力を緩和するため、狭小部１１ａ、１１ｂはこの湾曲した部分を含めて軸方向に少なくとも１０ｍｍ形成される。より好ましくは１５ｍｍ以上、更に好ましくは２０ｍｍ以上である。
電極１６、１８の軸方向長さは、例えば６５０〜１５５０ｍｍである。
外側管１２は、例えば、肉厚が１〜２ｍｍであり、狭小部１１ａ、１１ｂを除く略円筒管部分の外径がφ２５〜４０ｍｍ、内径φ２１〜３８ｍｍである。また、内側管１３は、例えば、肉厚が１〜２ｍｍであり、側壁部１４ａ、１４ｂを除いた略円筒管部分の外径がφ１０〜２０ｍｍ、内径がφ８〜１６ｍｍである。外側管１２は、狭小部１１ａ，１１ｂにおいて、例えば、側壁部１４ａ，１４ｂ近傍における外径が例えばφ１４〜４０ｍｍ、内径がφ１２〜３８ｍｍであり、当該箇所においては外側管１２と内側管１３と間隔が他の部分よりも、１〜１３ｍｍ狭くなるよう形成されている。
【００３３】
以上、本発明の実施の形態について説明したが、本発明のエキシマランプは、上記の実施の形態に限定されず種々の変更を加えることが可能である。例えば、以上の実施形態では、外側管あるいは内側管のいずれか一方についてのみ、管径を縮小／拡大させて外側管と内側管との間隔を変化させたが、両方の管の径を同時に縮小／拡大させることにより放電容器に狭小部を設けてもよい。無論、その際、管の径を段階的に変化させても連続的に変化させてもよく、更には、放電容器の一方の端部と他方の端部とでその態様が異なっていてもよい。要は、側壁部に隣接する外側管と内側管との間隔が、放電容器において発光領域を形成する部位、すなわち、電極を配置している部位の任意点における外側管と内側管の間隔よりも狭くなるよう形成されていればよい。
【図面の簡単な説明】
【００３４】
【図１】本発明の第一の実施形態を説明するエキシマランプの管軸方向断面図である。
【図２】機械工学便覧新版３３頁における「片持梁」モデルを説明するための図である。
【図３】エキシマランプの側壁部に応力がかかる状態を示す図である。
【図４】本発明の第二の実施形態を説明するエキシマランプの管軸方向断面図である。
【図５】他の実施形態を説明するエキシマランプの端部を拡大して示す管軸方向断面図である。
【図６】従来のエキシマランプの一例を示す管軸方向断面図である。
【符号の説明】
【００３５】
１０  エキシマランプ
１１  放電容器
１１ａ，１１ｂ  狭小部
１２  外側管
２３  内側管
１２ａ，１３ａ  屈曲部
１４ａ，１４ｂ  側壁部
１５  外周面
１６  一方の電極
１７  外周面
１８  他方の電極
１９  コード
Ｓ  放電空間
【図１】
2005149999.tif 000003
【図２】
2005149999.tif 000004
【図３】
2005149999.tif 000005
【図４】
2005149999.tif 000006
【図５】
2005149999.tif 000007
【図６】
2005149999.tif 000008